(57)【要約】【課題】複数の室内機のそれぞれに対し、互いに異なる消費電力の低減要求がある場合、複数の低減要求のいずれかを選択しなければ、低減要求に基づいた制御ができない。【解決手段】本発明の空気調和システムは、室外機に接続された複数の室内機を有した空気調和システムであって、室内機の２台以上に対して、消費電力の低減要求の割合が異なる複数の低減要求がそれぞれ供給された場合に、該複数の低減要求のいずれかを選択する選択手段を備え、選択手段で選択された低減要求に基づいて消費電力が低減されるように制御される。【選択図】図２
2018004154.tif 000002
【特許請求の範囲】
【請求項１】
室外機に接続された複数の室内機を有した空気調和システムであって、
前記室内機の２台以上に対して、消費電力の低減要求の割合が異なる複数の低減要求がそれぞれ供給された場合に、該複数の低減要求のいずれかを選択する選択手段を備え、
前記選択手段で選択された低減要求に基づいて消費電力が低減されるように制御されることを特徴とする空気調和システム。
【請求項２】
前記選択手段は、該複数の低減要求のうちで、消費電力が最も小さくなる低減要求を選択することを特徴とする請求項１に記載の空気調和システム。
【請求項３】
前記選択手段で選択された低減要求に基づいた制御は、所定時間が経過したときに解除されることを特徴とする請求項２に記載の空気調和システム。
【請求項４】
前記選択手段は、該複数の低減要求のうちで、最も後から供給された低減要求を選択することを特徴とする請求項１に記載の空気調和システム。
【請求項５】
前記選択手段は、該複数の低減要求のうちで、最も数が多い低減要求を選択することを特徴とする請求項１に記載の空気調和システム。
【発明の詳細な説明】
【技術分野】
【０００１】
本発明は、室外機に接続された複数の室内機を有した空気調和システムに関する。
【背景技術】
【０００２】
従来、コントローラからの消費電力の低減要求があった場合、その低減要求の低減割合にしたがって消費電力が低減されるように制御される空気調和機がある。
【先行技術文献】
【特許文献】
【０００３】
【特許文献１】ＷＯ２０１４−２４４４３号
【発明の概要】
【発明が解決しようとする課題】
【０００４】
室外機に接続された複数の室内機を有した空気調和システムでは、複数の室内機のそれぞれに対し、互いに異なる消費電力の低減要求がある場合がある。その場合、複数の低減要求のいずれかを選択しなければ、低減要求に基づいた制御ができない。
【０００５】
そこで、本発明の目的は、複数の室内機のそれぞれに対し、互いに異なる消費電力の低減要求があった場合に、いずれかの低減要求に基づいて適正に制御できる空気調和システムを提供することである。
【課題を解決するための手段】
【０００６】
第１の発明にかかる空気調和システムは、室外機に接続された複数の室内機を有した空気調和システムであって、前記室内機の２台以上に対して、消費電力の低減要求の低減割合が異なる複数の低減要求がそれぞれ供給された場合に、該複数の低減要求のいずれかを選択する選択手段を備え、前記選択手段で選択された低減要求に基づいて消費電力が低減されるように制御されることを特徴とする。
【０００７】
この空気調和システムでは、室内機の２台以上に対し、低減割合が異なる複数の低減要求がそれぞれ供給された場合に、複数の低減要求のいずれかが選択される。したがって、低減要求に基づいて消費電力が低減されるように適正に制御できる。
【０００８】
第２の発明に係る空気調和システムは、第１の発明において、前記選択手段は、該複数の低減要求のうちで、消費電力が最も小さくなる低減要求を選択することを特徴とする。
【０００９】
この空気調和システムでは、室内機の２台以上に対し、低減割合が異なる複数の低減要求がそれぞれ供給された場合に、消費電力が最も小さくなる低減要求が選択される。したがって、消費電力が最も小さくなる低減要求より消費電力が大きくなる低減要求が供給された室内機が、他の室内機に供給され且つ消費電力が最も小さくなる低減要求に基づいて制御された場合でも、低減要求に基づいた消費電力より大きくなるのを防止できる。
【００１０】
第３の発明に係る空気調和システムは、第２の発明において、前記選択手段で選択された低減要求に基づいた制御は、所定時間が経過したときに解除されることを特徴とする。
【００１１】
この空気調和システムでは、室内機の２台以上に対し、低減割合が異なる複数の低減要求がそれぞれ供給された場合に、消費電力が最も小さくなる低減要求が選択される制御は、所定時間が経過したときに解除される。したがって、消費電力が最も小さくなる低減要求に基づいた制御を行う必要がなくなった場合に、消費電力が最も小さくなる低減要求に基づいた制御が継続されるのを防止できる。
【００１２】
第４の発明に係る空気調和システムは、第１の発明において、前記選択手段は、該複数の低減要求のうちで、最も後から供給された低減要求を選択することを特徴とする。
【００１３】
この空気調和システムでは、室内機の２台以上に対し、低減割合が異なる複数の低減要求がそれぞれ供給された場合に、最も後から供給された低減要求が選択される。したがって、最も後から低減要求が供給された室内機を、他の室内機に供給された低減要求にかかわらず、低減要求に基づいて制御できる。
【００１４】
第５の発明にかかる空気調和システムは、第１の発明において、前記選択手段は、該複数の低減要求のうちで、最も数が多い低減要求を選択することを特徴とする。
【００１５】
この空気調和システムでは、室内機の２台以上に対し、低減割合が異なる複数の低減要求がそれぞれ供給された場合に、最も数が多い低減要求が選択される。したがって、多くの室内機に供給された低減要求に基づいて、消費電力が低減されるように制御できる。
【発明の効果】
【００１６】
以上の説明に述べたように、本発明によれば、以下の効果が得られる。
第１の発明では、室内機の２台以上に対し、低減割合が異なる複数の低減要求がそれぞれ供給された場合に、複数の低減要求のいずれかが選択される。したがって、低減要求に基づいて消費電力が低減されるように適正に制御できる。
第２の発明では、室内機の２台以上に対し、低減割合が異なる複数の低減要求がそれぞれ供給された場合に、消費電力が最も小さくなる低減要求が選択される。したがって、消費電力が最も小さくなる低減要求より消費電力が大きくなる低減要求が供給された室内機が、他の室内機に供給され且つ消費電力が最も小さくなる低減要求に基づいて制御された場合でも、低減要求に基づいた消費電力より大きくなるのを防止できる。
第３の発明では、室内機の２台以上に対し、低減割合が異なる複数の低減要求がそれぞれ供給された場合に、消費電力が最も小さくなる低減要求が選択される制御は、所定時間が経過したときに解除される。したがって、消費電力が最も小さくなる低減要求に基づいた制御を行う必要がなくなった場合に、消費電力が最も小さくなる低減要求に基づいた制御が継続されるのを防止できる。
第４の発明では、室内機の２台以上に対し、低減割合が異なる複数の低減要求がそれぞれ供給された場合に、最も後から供給された低減要求が選択される。したがって、最も後から低減要求が供給された室内機を、他の室内機に供給された低減要求にかかわらず、低減要求に基づいて制御できる。
第５の発明では、室内機の２台以上に対し、低減割合が異なる複数の低減要求がそれぞれ供給された場合に、最も数が多い低減要求が選択される。したがって、多くの室内機に供給された低減要求に基づいて、消費電力が低減されるように制御できる。
【図面の簡単な説明】
【００１７】
【図１】本発明の第１実施形態の空気調和システムの構成を示す図である。
【図２】図１の空気調和システムの制御部の構成を示す図である。
【図３】図１の空気調和システムにおいて、消費電力の低減要求が供給された場合の制御フロー図である。
【図４】本発明の第２実施形態の空気調和システムにおいて、消費電力の低減要求が供給された場合の制御フロー図である。
【図５】本発明の第２実施形態の空気調和システムにおいて、消費電力の低減要求が供給された場合の制御フロー図である。
【発明を実施するための形態】
【００１８】
以下、この発明の実施の形態を詳細に説明する。
【００１９】
（第１実施形態）
［空気調和機の全体構成］
図１に示すように、本実施形態の空気調和システム１は、室外機２と、室外機２に接続された複数の室内機３（図１では、３台の室内機３を図示したが、本発明において、複数の室内機３は、２台であってもよいし、４台以上であってよい）とを有している。複数の室内機３は、それぞれ、コントローラ４を有し、コントローラ４から供給される操作信号に基づいて運転が制御される。コントローラ４から供給される操作信号としては、運転開始の操作信号、運転停止の操作信号、消費電力の低減要求を供給する操作信号などが含まれる。
【００２０】
本実施形態の空気調和システム１では、複数の室内機３のいずれかに対し、コントローラ４から消費電力の低減要求が供給された場合、その低減要求の低減割合に応じて、空気調和システム１で使用される電流の上限値が制限される。低減要求の低減割合とは、低減要求が供給されたときの電流上限値の、低減要求が供給されてない通常時の電流上限値に対する割合（低減要求が供給されたときの電流上限値／低減要求が供給されてない通常時の電流上限値）を示す。したがって、低減要求の低減割合は、０と１との間の値であって、低減割合が小さいほど、消費電力を低減できる。本実施形態では、室内機３に対し、コントローラ４から、２段階の低減割合の低減要求を供給することができる。２段階の低減割合の低減要求は、通常時の電流の上限値より低い第１上限値ａ１を超えないように制限される場合（第１低減要求）と、第１上限値ａ１より低い第２上限値ａ２を超えないように制限される場合（第２低減要求）である。
【００２１】
したがって、ユーザは、コントローラ４を操作することにより、第１低減要求または第２低減要求を、複数の室内機３のそれぞれに対し供給することができる。よって、第１低減要求が室内機３に供給された場合、空気調和システム１で使用される電流が第１上限値を超えないように、圧縮機５の周波数の垂下制御などが行われる。同様に、第２低減要求が室内機３に供給された場合、空気調和システム１で使用される電流が第２上限値を超えないように、圧縮機５の周波数の垂下制御などが行われる。
【００２２】
複数の室内機３は、表示部６をそれぞれ有している。表示部６は、低減要求が供給され、その低減要求に基づいて消費電力が低減されるように制御されていることを表示する。表示部６は、そのときの低減要求の低減割合を表示し、表示部６の輝度が、低減要求の低減割合に応じて変化する。
【００２３】
図２に示すように、室外機２は、制御部２ａを有し、室内機３は、制御部３ａを有している。制御部２ａ、３ａには、空気調和システム１に係る各種動作の制御プログラムやデータなどが格納されたＲＯＭ、空気調和システム１の各部の動作を制御する信号を生成するために各種演算を実行するＣＰＵ、各種設定やＣＰＵでの演算結果などのデータを一時保管するＲＡＭなどの部材が含まれている。これら各種部材およびソフトウェアによって、図１に示すように、制御部２ａには、記憶部２ｂと、選択部２ｃと、運転制御部２ｄとが形成され、制御部３ａには、記憶部３ｂと、表示制御部３ｃとが形成されている。制御部２ａには、室外機２の内部に配置された圧縮機５などが接続され、制御部３ａには、室内機３の表面に表示部６などが接続されている。
【００２４】
本実施形態では、コントローラ４から消費電力の低減要求は、室内機３に対し供給されるが、その低減要求は室内機３の制御部３ａから室内機２の制御部２ａに供給される。したがって、室外機２の制御部２ａにおいて、記憶部２ｂは、コントローラ４から消費電力の低減要求が供給された場合に、その低減要求を記憶する。よって、記憶部２ｂは、複数の室内機３に対し、コントローラ４から供給された低減要求の低減割合を記憶する。
【００２５】
選択部２ｃは、複数の室内機３に対し、コントローラ４から互いに異なる低減割合に対応した複数の低減要求がそれぞれ供給された場合に、その複数の低減要求のいずれかの低減要求を選択する。本実施形態では、選択部２ｃは、複数の低減要求のうちで、消費電力が最も小さくなる低減要求を選択する。本実施形態では、選択部２ｃにおいて、消費電力が最も小さくなる低減要求が選択されると、その低減要求が、室内機３の制御部３ａに供給される。
【００２６】
運転制御部２ｄは、選択部２ｃで選択された低減要求の低減割合に基づいて、圧縮機５などを制御する。具体的には、運転制御部２ｄは、選択部２ｃで選択された低減要求が第１低減要求の場合、空気調和システム１で使用される電流が第１上限値ａ１を超えないように制御し、選択部２ｃで選択された低減要求が第２低減要求の場合、空気調和システム１で使用される電流が第２上限値ａ２を超えないように制御する。
【００２７】
本実施形態では、選択部２ｃで選択された低減要求の低減割合に基づいた制御は、その低減要求が供給された後、所定時間が経過したときに解除される。したがって、低減要求に対応した低減割合に基づいた制御が、所定時間が経過したときに解除されると、空気調和システム１で使用される電流の上限値は、通常の上限値に変更される。この所定時間は、予め決められている。
【００２８】
室内機３の制御部３ａにおいて、記憶部３ｂは、コントローラ４から消費電力の低減要求が供給された場合に、その低減要求を記憶する。したがって、記憶部３ｂは、その室内機３に対し、コントローラ４から供給された低減要求の低減割合を記憶する。上述したように、本実施形態では、コントローラ４から、室内機３に対し、消費電力の低減要求が供給されると、その低減要求は、室外機２の制御部２ａに供給される。すると、制御部２ａでは、室内機３から供給された低減要求が記憶部２ｂに記憶される。したがって、室外機２の制御部２ａにおいて、複数の室内機３から複数の低減要求が供給された場合、その複数の低減要求が記憶部２ｂに記憶される。
【００２９】
表示制御部３ｃは、選択部２ｃで選択された低減要求が室外機２から供給されると、その低減要求の低減割合に基づいて、表示部６の輝度を制御する。具体的には、表示制御部３ｄは、室外機２から供給された低減要求が第１低減要求の場合、表示部６の輝度を第１輝度に制御し、室外機２から供給された低減要求が第２低減要求の場合、表示部６の輝度を第１輝度より低い第２輝度に制御する。
【００３０】
本実施形態では、表示部６の輝度は、空気調和システム１で使用される電流の上限値の大小に応じた輝度に制御される。即ち、通常の電流上限値であるときの表示部６の輝度を１とした場合、消費電力の低減要求が供給された場合の輝度は、０とａ１との間の輝度であって、低減要求の低減割合に応じて、０と１との間でリニア（連続的）に変化する。したがって、第１上限値ａ２のときの表示部６の輝度は、第１上限値ａ１に対応した輝度に制御され、第２上限値ａ２のときの表示部６の輝度は、第２上限値ａ２に対応した輝度に制御される。このように、室内機３の表示部６は、空気調和システム１で使用される電流の上限値が大きいほど、高い輝度に制御され、上限値が小さいほど、低い輝度に制御される。
【００３１】
図３は、消費電力の低減要求が供給された場合の制御フロー図である。
【００３２】
まず、ステップＳ１において、複数の室内機３の全てに対し、消費電力の低減要求が供給されてない状態において、複数の室内機３のいずれかの室内機に対し、消費電力の低減要求が供給されたか否かを繰り返し判断する。消費電力の低減要求が供給された場合、ステップＳ２に進む。
【００３３】
ステップＳ２では、室内機に供給された消費電力の低減要求に基づいて、空気調和システム１の消費電力が低減されるように、空気調和システム１が制御される。したがって、ステップＳ３では、運転状態である室内機３の表示部６は、室内機３に供給された低減要求の低減割合に応じた輝度に制御され、消費電力の低減要求に基づいて、空気調和システム１が制御されていることを表示する。
【００３４】
その後、ステップＳ４では、他の室内機３（先に消費電力の低減要求が供給された室内機３以外の室内機３）に対し、消費電力の低減要求が供給されたか否かを繰り返し判断する。他の室内機３に対し、消費電力の低減要求が供給された場合、ステップＳ５に進む。
【００３５】
ステップＳ５では、後から他の室内機３に供給された低減要求の低減割合が、先に室内機３に供給された低減要求の低減割合より小さいか否かを判断する。先に室内機３に供給された低減要求の低減割合とは、後から他の室内機３に供給された低減要求より先に供給された低減要求において、最も小さい低減割合であって、そのときの低減要求の低減割合である。
【００３６】
ステップＳ５において、後から他の室内機３に供給された低減要求の低減割合が、先に室内機３に供給された低減要求の低減割合が小さくない場合、ステップＳ６において、空気調和システム１で使用される電流の上限値が変更されないで、先に室内機３に供給された低減要求に基づいた制御が継続される。即ち、先に室内機３に供給された低減要求に基づいた制御を、後から他の室内機３に供給された低減要求に基づいた制御に変更しても、消費電力が低減しない場合、空気調和システム１の制御は変更されない。
【００３７】
この場合、先に室内機３に供給された低減要求の低減割合に基づいた制御が変更されないことから、運転状態である室内機３の表示部６の輝度に変更されない。
【００３８】
これに対し、ステップＳ５において、後から他の室内機３に供給された低減要求の低減割合が、先に室内機３に供給された低減要求の低減割合が小さい場合、ステップＳ７において、空気調和システム１で使用される電流の上限値が変更され、後から他の室内機３に供給された低減要求に基づいた制御に変更される。即ち、先に室内機３に供給された低減要求に基づいた制御を、後から他の室内機３に供給された低減要求に基づいた制御に変更した場合、消費電力が低減する場合、空気調和システム１の制御は変更される。
【００３９】
この場合、先に室内機３に供給された低減要求の低減割合に基づいた制御が、後から他の室内機３に供給された低減要求の低減割合に基づいた制御に変更されたことから、ステップＳ８において、運転状態である室内機３の表示部６は、後から他の室内機３に供給された低減要求の低減割合に応じた輝度に変更される。
【００４０】
ステップＳ６およびステップＳ８の後、ステップＳ４以降と同様の処理が繰り返される。
【００４１】
なお、上述したように、本実施形態では、低減要求の低減割合に基づいた制御は、その低減要求が供給された後、所定時間が経過したときに解除されるが、図３では、その説明を省略している。
【００４２】
＜本実施形態の空気調和システムの特徴＞
本実施形態の空気調和システム１では、室内機３の２台以上に対し、低減割合が異なる複数の低減要求がそれぞれ供給された場合に、消費電力が最も小さくなる低減要求が選択される。したがって、消費電力が最も小さくなる低減要求より消費電力が大きくなる低減要求が供給された室内機３が、他の室内機に供給され且つ消費電力が最も小さくなる低減要求に基づいて制御された場合でも、低減要求に基づいた消費電力より大きくなるのを防止できる。
【００４３】
本実施形態の空気調和システム１では、室内機３の２台以上に対し、低減割合が異なる複数の低減要求がそれぞれ供給された場合に、消費電力が最も小さくなる低減要求が選択される制御は、所定時間が経過したときに解除される。したがって、消費電力が最も小さくなる低減要求に基づいた制御を行う必要がなくなった場合に、消費電力が最も小さくなる低減要求に基づいた制御が継続されるのを防止できる。
【００４４】
（第２実施形態）
第２実施形態の空気調和システムが、第１実施形態の空気調和システムと異なる点は、消費電力の複数の低減要求が供給された場合の低減要求の選択方法である。なお、その他の構成は、第１実施形態と略同一の構成であるため、その説明を省略する。
【００４５】
図４は、本発明の第２実施形態の空気調和システムにおいて、消費電力の低減要求が供給された場合の制御フロー図である。
【００４６】
まず、ステップＳ１において、複数の室内機３の全てに対し、消費電力の低減要求が供給されてない状態において、複数の室内機３のいずれかの室内機に対し、消費電力の低減要求が供給されたか否かを繰り返し判断する。消費電力の低減要求が供給された場合、ステップＳ２に進む。
【００４７】
ステップＳ２では、室内機に供給された消費電力の低減要求に基づいて、空気調和システム１の消費電力が低減されるように、空気調和システム１が制御される。したがって、ステップＳ３では、運転状態である室内機３の表示部６は、室内機３に供給された低減要求の低減割合に応じた輝度に制御され、消費電力の低減要求に基づいて、空気調和システム１が制御されていることを表示する。
【００４８】
その後、ステップＳ４では、他の室内機３（先に消費電力の低減要求が供給された室内機３以外の室内機３）に対し、消費電力の低減要求が供給されたか否かを繰り返し判断する。他の室内機３に対し、消費電力の低減要求が供給された場合、ステップＳ５に進む。
【００４９】
ステップＳ５では、後から他の室内機３に供給された低減要求の低減割合が、先に室内機３に供給された低減要求の低減割合と同一であるか否かを判断する。先に室内機３に供給された低減要求の低減割合とは、後から他の室内機３に供給された低減要求より先に供給された低減要求であって、そのときの低減要求の低減割合である。
【００５０】
ステップＳ５において、後から他の室内機３に供給された低減要求の低減割合が、先に室内機３に供給された低減要求の低減割合が同一である場合、ステップＳ６において、空気調和システム１で使用される電流の上限値が変更されないで、先に室内機３に供給された低減要求に基づいた制御が継続される。
【００５１】
この場合、先に室内機３に供給された低減要求の低減割合に基づいた制御が変更されないことから、運転状態である室内機３の表示部６の輝度に変更されない。
【００５２】
これに対し、ステップＳ５において、後から他の室内機３に供給された低減要求の低減割合が、先に室内機３に供給された低減要求の低減割合が同一でない場合、ステップＳ７において、空気調和システム１で使用される電流の上限値が変更され、後から他の室内機３に供給された低減要求に基づいた制御に変更される。
【００５３】
この場合、先に室内機３に供給された低減要求の低減割合に基づいた制御が、後から他の室内機３に供給された低減要求の低減割合に基づいた制御に変更されたことから、ステップＳ８において、運転状態である室内機３の表示部６は、後から他の室内機３に供給された低減要求の低減割合に応じた輝度に変更される。
【００５４】
ステップＳ６およびステップＳ８の後、ステップＳ４以降と同様の処理が繰り返される。
【００５５】
＜本実施形態の空気調和システムの特徴＞
本実施形態の空気調和システム１では、室内機の２台以上に対し、低減割合が異なる複数の低減要求がそれぞれ供給された場合に、最も後から供給された低減要求が選択される。したがって、最も後から低減要求が供給された室内機３を、他の室内機に供給された低減要求にかかわらず、低減要求に基づいて制御できる。
【００５６】
（第３実施形態）
第３実施形態の空気調和システムが、第１実施形態の空気調和システムと異なる点は、消費電力の複数の低減要求が供給された場合の低減要求の選択方法である。なお、その他の構成は、第１実施形態と略同一の構成であるため、その説明を省略する。
【００５７】
図５は、本発明の第３実施形態の空気調和システムにおいて、消費電力の低減要求が供給された場合の制御フロー図である。
【００５８】
まず、ステップＳ１において、複数の室内機３の全てに対し、消費電力の低減要求が供給されてない状態において、複数の室内機３のいずれかの室内機に対し、消費電力の低減要求が供給されたか否かを繰り返し判断する。消費電力の低減要求が供給された場合、ステップＳ２に進む。
【００５９】
ステップＳ２では、室内機に供給された消費電力の低減要求に基づいて、空気調和システム１の消費電力が低減されるように、空気調和システム１が制御される。したがって、ステップＳ３では、運転状態である室内機３の表示部６は、室内機３に供給された低減要求の低減割合に応じた輝度に制御され、消費電力の低減要求に基づいて、空気調和システム１が制御されていることを表示する。
【００６０】
その後、ステップＳ４では、他の室内機３（先に消費電力の低減要求が供給された室内機３以外の室内機３）に対し、消費電力の低減要求が供給されたか否かを繰り返し判断する。他の室内機３に対し、消費電力の低減要求が供給された場合、ステップＳ５に進む。
【００６１】
ステップＳ５では、これまでに室内機３に供給された低減要求の低減割合において、最も数が多い低減割合が変化したか否かを判断する。
【００６２】
ステップＳ５において、これまでに室内機３に供給された低減要求の低減割合において、最も数が多い低減割合が変化してない場合、ステップＳ６において、空気調和システム１で使用される電流の上限値が変更されないで、先に室内機３に供給された低減要求（最も数が多い低減割合の低減要求）に基づいた制御が継続される。
【００６３】
この場合、先に室内機３に供給された低減要求の低減割合に基づいた制御が変更されないことから、運転状態である室内機３の表示部６の輝度に変更されない。
【００６４】
これに対し、ステップＳ５において、これまでに室内機３に供給された低減要求の低減割合において、最も数が多い低減割合が変化した場合、ステップＳ７において、空気調和システム１で使用される電流の上限値が変更され、他の室内機３に対し供給された低減要求（最も数が多い低減割合の低減要求）に基づいた制御に変更される。
【００６５】
この場合、先に室内機３に供給された低減要求の低減割合に基づいた制御が、最も数が多い低減割合に基づいた制御に変更されたことから、ステップＳ８において、運転状態である室内機３の表示部６は、最も数が多い低減割合に応じた輝度に変更される。
【００６６】
ステップＳ６およびステップＳ８の後、ステップＳ４以降と同様の処理が繰り返される。
【００６７】
＜本実施形態の空気調和システムの特徴＞
本実施形態の空気調和システム１では、室内機３の２台以上に対し、低減割合が異なる複数の低減要求がそれぞれ供給された場合に、最も数が多い低減要求が選択される。したがって、多くの室内機３に供給された低減要求に基づいて、消費電力が低減されるように制御できる。
【００６８】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味及び範囲内でのすべての変更が含まれる。
【００６９】
上述の実施形態では、室内機３に対し、コントローラ４から、２段階の低減割合の低減要求を供給することができる場合を説明したが、室内機３に対し、コントローラ４から、３段階以上の低減割合の低減要求を供給するものであってよい。
【００７０】
また、上述の実施形態では、室内機３の２台以上に対し、低減割合が異なる複数の低減要求がそれぞれ供給された場合に、消費電力が最も小さくなる低減要求が選択される場合、最も後から供給された低減要求が選択される場合、最も数が多い低減要求が選択される場合を説明したが、低減要求の選択方法は変更してよい。
【産業上の利用可能性】
【００７１】
本発明を利用すれば、低減要求に基づいて消費電力が低減されるように適正に制御できる。
【符号の説明】
【００７２】
１  空気調和システム
２  室外機
２ｃ  選択部（選択手段）
３  室内機
【図１】
2018004154.tif 000003
【図２】
2018004154.tif 000004
【図３】
2018004154.tif 000005
【図４】
2018004154.tif 000006
【図５】
2018004154.tif 000007